(57)【要約】【課題】  容器に対する物品の出し入れ時にも、容器に収容されている物品を安定させることができる物品収容装置を提供する。【解決手段】  コンソール１０に設けられた収容室１５内において箱体１９が上下方向に移動可能に案内される。蓋１６の開閉に伴う回動体３０の回動により、回動体３０の左右アーム部３２に設けられた延出部の傾きが変化する。そして、延出部に設けられたローラが昇降し、ローラが係合する昇降体が昇降することで、昇降体に固定された箱体１９を昇降させる。【選択図】      図１
2005041365.tif 000002
【特許請求の範囲】
【請求項１】
開口部を有する枠体内に設けられた容器と、
前記枠体内において前記容器をほぼ同じ姿勢で移動可能に案内する案内手段と、
前記開口部を開閉するための蓋と、
前記蓋の開閉動作により、前記容器を前記案内手段に沿って移動させる移動手段とを備え、
その移動手段は、前記蓋を開位置に配置したときに容器を開口部側の位置に配置させ、蓋を閉位置に配置したときに容器を開口部の奥の位置に配置させることを特徴とする物品収容装置。
【請求項２】
前記案内手段は、前記容器をほぼ直線移動可能に案内することを特徴とする請求項１に記載の物品収容装置。
【請求項３】
前記案内手段は、前記枠体及び容器のいずれか一方に設けられ、ほぼ直線的に延びる案内溝と、その他方に設けられ、前記案内溝に係合してその延長方向に移動可能な突条部とからなることを特徴とする請求項２に記載の物品収容装置。
【請求項４】
前記移動手段は、前記枠体に回動可能に支持され、前記蓋を固定した回動体と、この回動体の回動を前記容器の略直線運動に変換する変換手段とからなることを特徴とする請求項１〜請求項３のいずれか一項に記載の物品収容装置。
【請求項５】
前記変換手段は、レバー機構からなることを特徴とする請求項４に記載の物品収容装置。
【請求項６】
前記開口部は、前記回動体の回動中心を中心とするほぼ円弧状に形成され、前記蓋は、前記開口部に沿った断面円弧状に形成されていることを特徴とする請求項４又は請求項５に記載の物品収容装置。
【請求項７】
前記蓋を閉鎖方向に付勢して前記閉位置に保持する付勢手段と、この付勢手段の付勢力により、蓋が前記開位置側から前記閉位置に向かって戻るときに、その移動に対して制動力を付与する制動手段とを備えたことを特徴とする請求項１〜請求項６のいずれか一項に記載の物品収容装置。
【請求項８】
前記開位置に配置された前記蓋を、この開位置において解除可能に保持する保持手段を設けたことを特徴とする請求項７に記載の物品収容装置。
【発明の詳細な説明】
【技術分野】
【０００１】
本発明は、例えば車両のコンソールボックスに設けられ、開口を開閉する蓋を有する物品収容装置に関するものである。
【背景技術】
【０００２】
この種の物品収容装置として、上方が開口した箱体と、円弧回動して箱体の開口を開閉可能な蓋体とを備え、蓋体の開閉によって箱体を回動させることで箱体を取出位置及び格納位置に切り換えるようにしたものがある（例えば、特許文献１参照。）。
【特許文献１】特開平７−２０５７２８号公報
【発明の開示】
【発明が解決しようとする課題】
【０００３】
ところが、上記特許文献１に記載された物品収容装置では、蓋の開閉に連動して箱体が回動するので、箱体の姿勢が一定しない。このため、箱体に対する物品の出し入れ時に、箱体内の収容物が安定せず、箱体内で収容物ががたつくことがある。
【０００４】
本発明は、上記課題を解決するためになされたものであって、その目的は、容器に対する物品の出し入れ時にも、容器に収容されている物品を安定させることができる物品収容装置を提供することにある。
【課題を解決するための手段】
【０００５】
上記課題を解決するため、請求項１に記載の発明は、開口部を有する枠体内に設けられた容器と、前記枠体内において前記容器をほぼ同じ姿勢で移動可能に案内する案内手段と、前記開口部を開閉するための蓋と、前記蓋の開閉動作により、前記容器を前記案内手段に沿って移動させる移動手段とを備え、その移動手段は、前記蓋を開位置に配置したときに容器を開口部側の位置に配置させ、蓋を閉位置に配置したときに容器を開口部の奥の位置に配置させることを特徴とする。
【０００６】
請求項１に記載の発明によれば、蓋の開閉時に容器がほぼ同じ姿勢のままで移動するので、物品の出し入れ時にも容器に収容されている物品が安定したままとなる。
請求項２に記載の発明は、請求項１に記載の発明において、前記案内手段は、前記容器をほぼ直線移動可能に案内することを特徴とする。
【０００７】
請求項２に記載の発明によれば、請求項１に記載の発明の作用に加えて、蓋の開閉時に容器がほぼ直線移動する。
請求項３に記載の発明は、請求項２に記載の発明において、前記案内手段は、前記枠体及び容器のいずれか一方に設けられ、ほぼ直線的に延びる案内溝と、その他方に設けられ、前記案内溝に係合してその延長方向に移動可能な突条部とからなることを特徴とする。
【０００８】
請求項３に記載の発明によれば、請求項２に記載の発明の作用に加えて、容器の周面全体を、枠体の周壁に摺接させることで略直線方向に案内する構成よりも、摺接面積をより少なくすることができるので、より円滑に移動させることができる。
【０００９】
請求項４に記載の発明は、請求項１〜請求項３のいずれか一項に記載の発明において、前記移動手段は、前記枠体に回動可能に支持され、前記蓋が固定された回動体と、この回動体の回動を前記容器の略直線運動に変換する変換手段とからなることを特徴とする。
【００１０】
請求項４に記載の発明によれば、請求項１〜請求項３のいずれか一項に記載の発明の作用に加えて、蓋の開閉によって回動する回動体が、変換手段を介して箱体の位置を切り換える。
【００１１】
請求項５に記載の発明は、請求項４に記載の発明において、前記変換手段は、レバー機構からなることを特徴とする。
請求項５に記載の発明によれば、請求項４に記載の発明の作用に加えて、蓋の回動運動が、レバー機構によって容器の略直線運動に変換される。
【００１２】
請求項６に記載の発明は、請求項４又は請求項５に記載の発明において、前記開口部は、前記回動体の回動中心を中心とするほぼ円弧状に形成され、前記蓋は、前記開口部に沿った断面円弧状に形成されていることを特徴とする。
【００１３】
請求項６に記載の発明によれば、請求項４又は請求項５に記載の発明の作用に加えて、蓋を開いたときに、蓋が開口部に対して立ち上がらないので、開いた状態の蓋が、開口部を通じた容器への物品の出し入れの邪魔にならない。
【００１４】
請求項７に記載の発明は、請求項１〜請求項６のいずれか一項に記載の発明において、前記蓋を閉鎖方向に付勢して前記閉位置に保持する付勢手段と、この付勢手段の付勢力により、蓋が前記開位置側から前記閉位置に向かって戻るときに、その移動に対して制動力を付与する制動手段とを備えたことを特徴とする。
【００１５】
請求項７に記載の発明によれば、請求項１〜請求項６のいずれか一項に記載の発明において、手動で開けた蓋が自動でゆっくり戻るので、物品収容装置の使い勝手が向上し、また、高級感を付与することができる。
【００１６】
請求項８に記載の発明は、請求項７に記載の発明において、前記開位置に配置された前記蓋を、この開位置において解除可能に保持する保持手段を設けたことを特徴とする。
請求項８に記載の発明によれば、請求項７に記載の発明の作用に加えて、蓋を開いたときに、蓋を開いた状態で保持する必要がないので、物品収容装置の使い勝手が向上する。
【発明の効果】
【００１７】
容器に対する物品の出し入れ時にも、容器に収容されている物品を安定させることができる物品収容装置を提供することができる。
【発明を実施するための最良の形態】
【００１８】
以下、本発明を、車両のコンソールボックスに設けられた物品収容装置に具体化した一実施形態を図１〜図８に従って説明する。
図１，２に示すように、コンソール１０に設けられた枠体としてのコンソールボックス１１には、蓋の機能を兼備するアームレスト１２の前方に位置するように小物収容部１３が設けられている。小物収容部１３は、略円弧状の開口部１４を上部に有する収容室１５を備え、その開口部１４が蓋１６によって開閉される。
【００１９】
収容室１５は、隔壁１７によって前後に区画され、その後室１８内には、小物を収容する容器としての箱体１９が配置されている。箱体１９は、コンソールボックス１１の左右側壁２０によって左右方向における移動が規制されている。
【００２０】
箱体１９の左右側面には、上下方向に延びる突条部２１がそれぞれ一体形成されている。各突条部２１は、図３〜７に示すように、二重に形成された左右側壁２０の内壁２２において上下方向に延びるように設けられた案内溝２３にそれぞれ係合されている。これにより、箱体１９は、前後方向における移動が規制された状態で、上下方向の移動が許容されている。すなわち、箱体１９は、その姿勢が変わらない状態で上下方向に案内される。本実施形態では、突条部２１及び案内溝２３が案内手段を構成する。
【００２１】
図３〜７に示すように、左右の突条部２１には、内壁２２の外側に配置された昇降体２４がそれぞれ固定されている。すなわち、昇降体２４は、その内面に設けられた突条部２４ａが、突条部２１に設けられた溝２１ａに嵌合されることで突条部２１に固定されている。各昇降体２４の下部には、その後側に突出部２６が設けられ、各突出部２６の外側面には、係合凹部２７が設けられている。
【００２２】
図３〜７に示すように、左右側壁２０の内壁２２の外側面には、回動体３０が左右のアーム部３２において支軸３１により回動可能に支持されている。回動体３０の両アーム部３２同士は、支持部３３によって連結されている。なお、各支軸３１は、内壁２２に固定された軸受け３４に回動可能にそれぞれ支持されている。
【００２３】
また、左右アーム部３２には、支軸３１を中心とする円弧状のギヤ部３５がそれぞれ設けられている。各ギヤ部３５は、内壁２２に固定された制動手段としてのダンパ３６が有するギヤ３７にそれぞれ噛み合わされている。
【００２４】
また、左右アーム部３２には、軸受け３４に支持された付勢手段としての捻りコイルばね３８の一端が、アーム部３２を図３，４，６，７における時計方向に付勢するように係止されている。
【００２５】
さらに、左右アーム部３２には、その回動中心部から後方に延びる延出部４０がそれぞれ設けられている。各延出部４０には、ローラ４１がそれぞれ回転可能に支持されている。各ローラ４１は、前記昇降体２４の突出部２６に設けられた係合凹部２７内に配置されている。
【００２６】
回動体３０の支持部３３には、前記開口部１４に沿った形状の略円弧状をなす蓋１６の前端が固定されている。
そして、左右アーム部３２、ローラ４１及び昇降体２４は、蓋１６を支持する回動体３０の回転運動を、昇降体２４を介して箱体１９の直線運動に変換する変換手段としてのレバー機構を構成する。また、回動体３０及びレバー機構が移動手段を構成する。
【００２７】
また、図３〜７に示すように、収容室１５の両側には、収容室１５の前壁４３よりも前方に延出する支持部４４が固定配置され、この支持部４４の前端にはカムブロック４５が固定されている。図８（ａ）〜（ｃ）に示すように、カムブロック４５には、カム溝４６が設けられている。一方、蓋１６の裏面前端には、カム溝４６に案内されるピン５１を支持したカムアーム５２が、支軸５３を中心に左右に揺動可能に支持されている。本実施形態では、カムブロック４５及びカムアーム５２が保持手段を構成する。
【００２８】
そして、蓋１６を開いていくと、図８（ａ）〜（ｃ）に示すように、ピン５１が矢印Ｂで示すようにカム溝４６に入って位置Ｐ１で移動が規制される。この状態から、捻りコイルばね３８のばね力によって蓋１６が閉方向に戻されると、ピン５１が位置Ｐ１から位置Ｐ２まで移動して、カムブロック４５に係止される。この状態では、蓋１６が閉方向に戻らなくなる。次に、再び蓋１６を開方向に少し移動させると、ピン５１が位置Ｐ２から位置Ｐ３まで移動する。この状態で蓋１６を閉方向に戻すと、ピン５１が位置Ｐ３から位置Ｐ４を経てカムブロック４５の外部に出る。この状態では、蓋１６を閉方向に戻すことができる。
【００２９】
次に、以上のように構成された本実施形態の作用について説明する。
蓋１６は、捻りコイルばね３８により開口部１４を閉じる向きに付勢され、図２〜４に示すように、その後端がアームレスト１２の前端に当接する閉位置に保持される。このとき、回動体３０の左右アーム部３２の延出部４０が斜め後下向きにとなり、各ローラ４１は最も下方に移動した位置に配置される。このため、左右昇降体２４が最も下方に移動した位置に配置され、箱体１９が所定の下方位置に配置される。
【００３０】
蓋１６を閉位置から開いていくと、左右アーム部３２の回動に伴って左右延出部４０が上方に回動する。このため、左右ローラ４１の上動によって昇降体２４が上動し、箱体１９が下方位置から上昇する。このとき、左右案内溝２３に沿って各突条部２１が上下方向に案内されるので、箱体１９は同じ姿勢を維持する。そして、蓋１６を開いていくと、図１，６，７に示すように、カムアーム５２に支持されたピン５１がカム溝４６の位置Ｐ２に保持され、蓋１６が開位置に保持される。このとき、箱体１９が所定の上方位置に配置され、箱体１９と外部との間の小物の出し入れができる状態となる。
【００３１】
蓋１６を開位置から一旦少しだけ押し下げると、ピン５１が位置Ｐ２から外れ、蓋１６の保持状態が解除される。この状態で蓋１６から手を離すと、捻りコイルばね３８の付勢力によって蓋１６が開位置から閉位置に向かって移動していく。このとき、左右アーム部３２にギヤ部３５及びギヤ３７を介して連結されたダンパ３６によって回動体３０の急激な回動が制限されて、蓋１６がゆっくり閉位置側に移動していく。
【００３２】
蓋１６が閉位置側に移動するにつれ、回動体３０の回動に伴って左右延出部４０が下方に回動する。このため、左右ローラ４１の下降によって昇降体２４が下降し、箱体１９が出し入れ位置から下降して図３に示す状態となる。
【００３３】
次に、以上詳述した本実施形態が有する効果を列記する。
（１）  コンソール１０に設けられた収容室１５内において、箱体１９が上下方向に移動可能に案内される。そして、蓋１６の開閉に伴う回動体３０の回動により、左右アーム部３２の延出部４０に設けられたローラ４１が昇降し、昇降体２４に固定された箱体１９を昇降させる。このため、蓋１６を開閉させるのみで、箱体１９が同じ姿勢のままで昇降する。従って、箱体１９に対する小物の出し入れ時にも、箱体１９内の収容物を安定させることができ、箱体１９内で収容物をがたつかせることがない。
【００３４】
（２）  蓋１６は、支軸３１を中心に回動して、蓋１６を開いたときには、蓋１６は収容室１５の前記下方位置に没入する。従って、開いた状態の蓋１６が、開口部１４を通じた箱体１９に対する小物の出し入れの邪魔にならない。
【００３５】
（３）  蓋１６を付勢して開口部１４を閉じた閉位置に保持する捻りコイルばね３８と、この捻りコイルばね３８の付勢力によって蓋１６が開位置から閉位置に戻るときに制動力を付与するダンパ３６とを設けた。従って、手動で開けた蓋１６が自動で閉位置にゆっくり戻るので、小物収容部１３の使い勝手が向上するとともに、操作性における高級感を与えることができる。
【００３６】
（４）  開位置へ移動させた蓋１６を、開位置において解除可能に保持する保持機構（カムブロック４５、カムアーム５２）を設けたので、蓋１６を開いた状態で保持する必要がなく、物品収容装置の使い勝手が向上する。
【００３７】
次に、上記一実施形態以外の実施形態を列記する。
・  上記実施形態の付勢手段として、捻りコイルばね３８に代えて引張コイルばねを用いた構成とすること。
【００３８】
・  本発明を、車両の枠体としてのセンタークラスターに開口部を有し、箱体をほぼ水平方向に車室側に移動させる物品収容装置として具体化すること。すなわち、本実施形態を９０°回転させた物品収容装置として具体化してもよい。
【図面の簡単な説明】
【００３９】
【図１】本実施形態の物品収容装置を備えたコンソールボックスの要部を示す斜視図。
【図２】同じくコンソールボックスの要部を示す斜視図。
【図３】小物収容部を示すコンソールボックスの要部縦断面図。
【図４】同じく縦断面図。
【図５】図３におけるＡ−Ａ線での平断面図。
【図６】小物収容部を示すコンソールボックスの要部縦断面図。
【図７】同じく縦断面図。
【図８】（ａ）はカムアームを示す正面図、（ｂ）はカムアーム及びカムブロックを示す側面図、（ｃ）はカムブロックを示す正面図。
【符号の説明】
【００４０】
１０…コンソールボックス、１１…枠体としてのボックス本体、１４…開口部、１６…蓋、１９…容器としての箱体、２１…案内手段としての突条部、２３…案内手段としての案内溝、２４…移動手段、変換手段及びレバー機構としての昇降体、３０…移動手段としての回動体、３１…同じく支軸、３２…移動手段、変換手段及びレバー機構としてのアーム部、３６…制動手段としてのダンパ、３８…付勢手段としての捻りコイルばね、４１…移動手段、変換手段及びレバー機構としてのローラ、４５…保持手段としてのカムブロック、５２…同じくカムアーム。
【図１】
2005041365.tif 000003
【図２】
2005041365.tif 000004
【図３】
2005041365.tif 000005
【図４】
2005041365.tif 000006
【図５】
2005041365.tif 000007
【図６】
2005041365.tif 000008
【図７】
2005041365.tif 000009
【図８】
2005041365.tif 000010